(57)【要約】【課題】  断熱表層を有する容器の製造法で多様化した美観性効果を呈し同時に突出した立体の模様によって手に取れる断熱機能を提供し、美観性、保温、断熱、火傷しないなど多重効果を実現させる。【解決手段】  一種の断熱表層を有する容器の製造法は液体の接着剤に熱発泡粒子粉を添加して攪拌混合を経て塗布方式によって複合塗料を所定範囲の連続基紙または成型した各種の容器の表面に塗布してから基紙または容器に加熱を施すと表面に該発泡粒子による発泡作用を起こしたら該液体接着剤が該容器の表層に付着すると表層において発泡層になり、塗布範囲をカットして容器に作ったり該容器の表層に応用し、表層においてパターン模型を応用して複合塗料に顔料を添加して塗装またはロール装置により、模様のある部分に塗装した塗料を加熱して発泡作用を起こして突出の彩色の立体模様にし立体模様になってから再度彩色印刷を施す。【選択図】  図１
2007196173.tif 000002
【特許請求の範囲】
【請求項１】
イ．液体接着剤と熱発泡粒子粉を攪拌混合して複合材料にするステップと、
ロ．紙製またはプラスチック容器或いは半製品の外表層に該複合塗料を塗布するステップと、
ハ．該複合塗料を塗布した容器を加熱装置によって加熱するステップと、
ニ．該複合塗料は該容器の表面において発泡作用を起こして発泡層になるステップと、
ホ．該発泡層は該複合塗料内にある液体接着剤の凝結によって該容器の表面と一体になるステップと、
を備える断熱表層を有する容器の製造法。
【請求項２】
前記容器の表層において、パターン模型を前記複合塗料の塗装またはロールに供して、パターン模様の付いた複合塗料を加熱して発泡作用を起こしたら突出した立体模様になる請求項１に記載した断熱表層を有する容器の製造法。
【請求項３】
前記複合塗料の中にある液体接着剤は水性か油性か問わず、加熱発泡の過程において凝結・粘着できる作用を有するものである請求項１に記載した断熱表層を有する容器の製造法。
【請求項４】
該複合塗料を直接に連続式の基紙に塗布してから、事前に計画しておいた、該容器が作れる範囲に該基紙をカットし、容器を成型し、該容器を過熱して該容器の外表層に発泡層を形成させる請求項１に記載した断熱表層を有する容器の製造法。
【請求項５】
前記成型した容器における、手で取れる任意の位置をそのまま適当な窪み及び範囲に作るようにしておき、それから、複合塗料を該窪みに塗布し、更に複合塗料を加熱して発泡させて該窪みを埋め立てて、容器の外表層を平らな状態に復帰させる請求項１に記載した断熱表層を有する容器の製造法。
【請求項６】
前記立体模様の突出度合について、加熱温度が８０℃〜１６０℃で必要とされる模様が発泡してから、突出した厚さが獲得できるものである請求項１に記載した断熱表層を有する容器の製造法。
【請求項７】
前記製造法を応用して紙製容器及びプラスチック製容器であるコップ、茶碗、皿、包装容器、弁当箱の表面に発泡層を形成させるものである請求項１に記載した断熱表層を有する容器の製造法。
【請求項８】
前記複合塗料に顔料を添加して発泡できた位置において多色彩の模様を造ることができるものである請求項１に記載した断熱表層を有する容器の製造法。
【請求項９】
前記複合塗料は容器の表層において発泡して結合になってから彩色印刷を応用し、該発泡したパターンの模様の上に、または、発泡した位置において、彩色のパターンの模様を表現させるものである請求項１に記載した断熱表層を有する容器の製造法。
【発明の詳細な説明】
【技術分野】
【０００１】
本発明は断熱表層を有する容器の製造法及びその製品であり、特に液体接着剤と熱発泡粒子とを攪拌・混合して複合塗料にし、また顔料を添加して目標物の外表層に塗布して、加熱して該表層と一体になるような発泡層を形成させ、且パターン模型に沿って塗布を行い、更に該表面に立体模様を形成させて多様化の美観性、保温、断熱、火傷しないなど効果が提供できる技術分野を指すものである。
【背景技術】
【０００２】
一般の容器は、そのコスト及び用途における普遍化を求めるには殆ど紙製またはプラスチック製容器になっている。例えば紙製またはプラスチック製のコップ、茶碗、皿など、或いは、該材質で作られた入れ物容器としての包装容器、保温容器、弁当箱などがある。
【発明の開示】
【発明が解決しようとする課題】
【０００３】
該紙製容器は僅か一重であるため、保温・断熱の効果が提供できない。二重に折畳んだり仕切りを設けたりすると、使い捨ての用途において、そのコストが極めて高くなり、採算に合わなくなる。該プラスチック製容器は僅か一重であるし、保温・断熱との効果はない。該紙製またはプラスチック製容器の表層において、美観性を満たすには、最高でも表層に絵などを刷りだすことしかないため、立体模様の効果になれない。現在使われているコップは火傷防止のため、受け持つ手段として別途にプラスチックのコップホルダーを造り使用する。コップを手に取るとき熱さが伝わりにくい効果があるが、使用上、該ホルダーを付加して使用する不便をもたらす一方、使用後、該紙コップを捨てても、そのホルダーを収納しなければならないため、該紙コップを使用する便利さを失ってしまう。
【課題を解決するための手段】
【０００４】
請求項１の発明は、液体接着剤に熱発泡粒子粉を添加して攪拌混合を経て塗布方式によって前記複合塗料を連続式基紙の設定された範囲内または既に成型した各種容器の表面に塗布して該基紙或いは容器を加熱し、該表面において該発泡粒子によった発泡作用を起こすと同時に該液体接着剤を該容器の表層に貼り付けると、該表層に発泡層を形成させ、そして該塗布した範囲をカットして容器に作るようにし、または該容器の表層に応用するものである。
【０００５】
請求項２の発明は、前記容器の表層において、パターン模型を前記複合塗料の塗装またはロールに供して、パターン模様の付いた複合塗料を加熱して発泡作用を起こしたら突出した立体模様になる請求項１に記載した断熱表層を有する容器の製造法である。
【０００６】
請求項３の発明は、前記複合塗料の中にある液体接着剤は水性か油性か問わず、加熱発泡の過程において凝結・粘着できる作用を有するものである請求項１に記載した断熱表層を有する容器の製造法である。
【０００７】
請求項４の発明は、該複合塗料を直接に連続式の基紙に塗布してから、事前に計画しておいた、該容器が作れる範囲に該基紙をカットし、容器を成型し、該容器を過熱して該容器の外表層に発泡層を形成させる請求項１に記載した断熱表層を有する容器の製造法である。
【０００８】
請求項５の発明は、前記成型した容器における、手で取れる任意の位置をそのまま適当な窪み及び範囲に作るようにしておき、それから、複合塗料を該窪みに塗布し、更に複合塗料を加熱して発泡させて該窪みを埋め立てて、容器の外表層を平らな状態に復帰させる請求項１に記載した断熱表層を有する容器の製造法。
【０００９】
請求項６の発明は、前記立体模様の突出度合については、該複合塗料を塗布する厚さによって加熱温度を８０℃〜１６０℃の範囲内に制御したら必要とする模様の突出度合が獲得できるものである。
【００１０】
請求項７の発明は、前記製造法を応用して紙製容器及びプラスチック製容器であるコップ、茶碗、皿、包装容器、弁当箱の表面に発泡層を形成させるものである請求項１に記載した断熱表層を有する容器の製造法である。
【００１１】
請求項８の発明は、前記複合塗料に顔料を添加して発泡できた位置において多色彩の模様を造ることができるものである請求項１に記載した断熱表層を有する容器の製造法である。
【００１２】
請求項９の発明は、前記複合塗料は容器の表層において発泡して結合になってから彩色印刷を応用し、該発泡したパターンの模様の上に、または、発泡した位置において、彩色のパターンの模様を表現させるものである請求項１に記載した断熱表層を有する容器の製造法である。
【発明の効果】
【００１３】
請求項１〜９によれば、容器の表層にある発泡層のお陰で補強効果を有する外、断熱、保温、火傷しないなど効果を提供するのである。例えば、紙或いはプラスチック容器の表層に応用すると断熱効果が得られる。そのため、熱い物を盛る際に握持者に熱い感じを与えないように保温、断熱、火傷防止など効果が提供できる。
【００１４】
請求項２によれば、多様化美観との視覚効果を呈させると同時に突出した模様によって手に取るときの断熱効果が提供できるため、多様化にした美観性、保温、断熱、火傷しないなど多重効果が実現できるものである。また、各種紙製容器、プラスチック容器の表面においてパターン模型に沿って各種の立体模様に形成できるため、美観性及び該突出した模様を手に取ると火傷防止との効果が実現できるものである。
【００１５】
請求項５によれば、握持位置における火傷防止との効果が提供できるため、コスト低下が可能である。
【００１６】
請求項８によれば、前記複合塗料に顔料を添加してから、塗装したりロールをかけたりする手段によって、模様のある部分に塗装した前記塗料を加熱して発泡作用を起こして突出の彩色の立体模様にし、または立体模様になってから再度彩色印刷を施したりすると、多様化美観との視覚効果を呈させる同時に、該突出した立体模様によってそのまま手に取れる断熱機能が提供でき、美観性、保温、断熱、火傷しないなど多重効果が実現できたものである。
【発明を実施するための最良の形態】
【００１７】
本発明の実施形態について図面を参照して説明する。図１に示したように、本発明による製造法は、液体接着剤１に熱発泡粒子粉２を添加して攪拌混合３を経て複合塗料４にして、塗布方式により、少なくとも塗装５、ロール装置５’、彩色印刷５”などを含める。前記複合塗料４を半製品６（図３（ａ）参照）または容器７、７’（図３（ｂ）、（ｃ）及び図４（ａ）〜（ｃ）参照）の表面に塗布してから、該容器７、７’を加熱装置８によって加熱して該表層において該熱発泡粒子粉２による発泡作用が生じる同時に該液体接着剤１が該容器７、７’の表層に付着すると該表層に発泡層９（図５（ａ）参照）を形成させるため、補強効果を持たせるし、断熱、保温効果も提供する。
【００１８】
前記液体接着剤１は水性か油性を問わず、同様に加熱発泡という過程において凝結して付着できる作用を有するものである。
【００１９】
図１及び図２に示したように、前記複合塗料４は、直接にロール装置５’のローラー５１’にパターン模型を設けて、ロール装置５’のローラー５１’にあるパターン模型に沿って、巻取りロール式基紙Ｐ’における連続に送出される基紙Ｐに複合塗料４を連続にローリングしながら複写してゆき、それから事前に既に計っておいた、該容器７を作れる範囲に沿って半製品６（図３（ａ）参照）にカットして、容器の成型（本発明の特徴ではないため、省略しておく）を通して該容器７、７’を加熱して該容器の外表層において発泡層９を形成させるものである。
【００２０】
図１、図２、図５（ａ）〜（ｃ）に示したように、前記方法により、紙製容器７または予め射出成型したプラスチック容器７’の表層に応用すると、断熱効果が得られるため、熱い物を盛る際、握持者に熱い感じを与えず、更に保温効果も提供できる。それから図４（ａ）〜（ｃ）に示したように、表層においてパターン模型を利用して前記塗料の塗装またはロール装置（図１、図２）に供し、模様のある部分に塗布した複合塗料４は加熱装置によって加熱されると発泡作用が生じ、突出した立体模様９になり、そして該突出した模様をそのまま握持できる断熱効果を提供するため、多様化の美観性、保温、断熱、火傷防止など多重効果が実現できるものになる。
【００２１】
図1、図３（ａ）〜（ｃ）、図４（ａ）〜（ｃ）、図５（ａ）〜（ｃ）、に示したように、前記容器７、７’においては、該複合塗料４を容器の任意の握持できる位置や範囲だけ塗布できるため、全体に塗布する必要がない。また、容器を成型にする間、窪み７１、７１’を造ることができ（図５（ｃ）参照）、適当な範囲に沿って再び複合塗料４を該窪み７１、７１’の位置に塗布して複合塗料４を加熱して発泡してから該窪み７１、７１’の位置を埋め立てて容器７１、７１’の外表層を平らな状態に戻すと握持位置における火傷防止との効果が提供できるため、コスト低下が可能である。
【００２２】
図1、図４（ａ）〜（ｃ）、図５（ａ）,（ｃ）に示したように、前記複合塗料４に顔料１１を添加して発泡した位置において複数の色彩のある模様を作ることができ、また該複合塗料４を容器７、７’の表層において発泡・結合にしてから彩色印刷５”によって該発泡層９の発泡位置（図５（ｂ），（ｃ））或いは全体の発泡層９（図５（ａ））において彩色のパターンとして表現させることもできるものである。
【００２３】
前記立体模様の突出度合については、加熱温度を８０℃〜１６０℃にすることによって必要とされる模様が発泡してから突出した厚さが獲得できるものである。
【００２４】
前記発明で応用した実施例は単に説明の参考として提供されるものだけであり、それは各種の紙製またはプラスチック製容器、例えばコップ、茶碗、皿、弁当箱及び各種の包装容器などを含むべきであり、そして、その断熱、保温、火傷防止及び補強効果として提供するものである。
【図面の簡単な説明】
【００２５】
【図１】本発明の実施形態における製造フローのブロックによるイメージ図である。
【図２】本発明におけるロール装置の平面イメージ図である。
【図３】（ａ）は本発明における紙製容器の半製品に塗布した後の平面イメージ図、（ｂ）は本発明における紙製容器の製品に塗布する前と塗布した後の実施例図、（ｃ）は本発明における塗布表層のパターン模様の実施例図である。
【図４】（ａ）は本発明における紙製またはプラスチック製容器の表層部分の実施例図、（ｂ）は本発明における紙製またはプラスチック製容器の表層部分のパターン模様を発泡した実施例図、（ｃ）は本発明における紙製またはプラスチック製容器の表層部分を発泡したもう一つ実施例図である。
【図５】（ａ）は紙製容器とプラスチック製容器において本発明を応用して表層において全面的な発泡層が形成できる様子、（ｂ）は紙製容器とプラスチック製容器において本発明を応用して表層において一部的な発泡層が形成できる様子、（ｃ）は紙製容器とプラスチック製容器において本発明を応用して窪んだ表層において埋め立てられた発泡層が形成できる様子を示す図である。
【符号の説明】
【００２６】
１・・・液体接着剤          ２・・・熱発泡粒子粉
３・・・攪拌混合            ４・・・複合塗料
５・・・塗装装置            ５’・・・ロール装置
５”・・・彩色印刷装置      ６・・・半製品
７・・・紙製容器            ７’・・・プラスチック製容器
８・・・加熱装置            ５１’・・・ローラー
Ｐ’・・・巻取り式基紙      Ｐ・・・基紙
９・・・発泡層              １１・・・顔料
【図１】
2007196173.tif 000003
【図２】
2007196173.tif 000004
【図３】
2007196173.tif 000005
【図４】
2007196173.tif 000006
【図５】
2007196173.tif 000007